(57)【要約】【課題】ショートカット機能専用キーを設けることなく、ショートカット機能を実現する。【解決手段】階層構造の下位にある下位画面３００−１〜３００−５を表示している状態でホームキーが操作された場合に、階層構造の上位にあるホーム画面１００を表示するとともに、ホームキーが操作された時点の下位画面３００−３を特定するためのデータをホームキーに関連づけて記憶する。ホーム画面１００を表示している状態でホームキーが操作された場合に、記憶されているデータに基づいて下位画面３００−３を表示することで、ホーム画面１００から下位画面３００−３にショートカットする。【選択図】図４
2011108043.tif 000002
【特許請求の範囲】
【請求項１】
ホーム画面と、ホーム画面より下位階層の複数の非ホーム画面を表示する画面表示制御装置であって、
前記非ホーム画面を表示している状態でホームキーが操作された場合に、前記ホーム画面を表示するとともに、前記非ホーム画面を特定するための識別子を記憶する手段と、
前記ホーム画面を表示している状態で前記ホームキーが操作された場合に、記憶されている前記識別子で特定される非ホーム画面を表示する手段と、
を備えることを特徴とする画面表示制御装置。
【請求項２】
請求項１記載の装置において、
前記複数の非ホーム画面は、少なくとも第１の非ホーム画面と第２の非ホーム画面を有し、
前記記憶する手段は、前記第１の非ホーム画面を表示している状態でホームキーが操作された場合に、前記ホーム画面を表示するとともに、前記第１の非ホーム画面を特定するための識別子を記憶し、その後、前記第２の非ホーム画面を表示している状態でホームキーが操作された場合に、前記ホーム画面を表示するとともに、前記第１の非ホーム画面を特定するための識別子に代えて前記第２の非ホーム画面を特定するための識別子を記憶する
ことを特徴とする画面表示制御装置。
【請求項３】
請求項１記載の装置において、さらに、
前記記憶する手段により前記識別子が記憶されている場合に、前記識別子に関連するマークを前記ホーム画面に表示する手段
を備えることを特徴とする画面表示制御装置。
【請求項４】
階層構造の画面を順次、表示部に表示する画面表示制御装置であって、
階層構造の下位にある下位画面を表示している状態でホームキーが操作された場合に、階層構造の上位にあるホーム画面を表示するホーム画面表示手段と、
前記ホームキーが操作された時点の前記下位画面を特定するためのデータを前記ホームキーに関連づけて記憶する記憶手段と、
前記ホーム画面を表示している状態で前記ホームキーが操作された場合に、前記記憶手段に記憶されている前記データに基づいて前記下位画面を表示することで、前記ホーム画面から前記下位画面にショートカットする制御手段と、
を備えることを特徴とする画面表示制御装置。
【請求項５】
ホームキーと、
表示部と、
前記ホームキーの操作に応じ、前記表示部に画面を表示する請求項１乃至請求項４のいずれかに記載された画面表示制御装置と、
を備える機器。
【発明の詳細な説明】
【技術分野】
【０００１】
本発明は画面表示制御装置、特に階層構造の画面表示を制御する装置に関する。
【背景技術】
【０００２】
各種機器には通常、ホーム（Ｈｏｍｅ）画面とメニュー（Ｍｅｎｕ）画面が存在する。機器の起動時には最上位階層の画面としてホーム画面が表示され、キーを操作することで下位階層の画面として種々のメニュー画面が表示される。そして、下位階層の種々のメニュー画面を表示している状態でホーム（Ｈｏｍｅ）キーを操作すると、その画面から最上位階層のホーム画面に戻ることができる。
【０００３】
下記の特許文献１には、階層化された複数のメニュー画面の１つが表示されている状態で、調整スイッチ群のチェックボタンが操作された場合に、表示中のメニュー画面をショートカットメニューとしてメモリに記憶し、メニュー画面が非表示の状態でファンクションボタンが押下された場合に、メモリにショートカットメニューが記憶されているか否かを判定し、記憶されている場合にはメモリに記憶されているメニュー画面を表示し、記憶されていない場合には最上位階層のメニュー画面を表示する技術が開示されている。
【０００４】
また、特許文献２には、ショートカットキーが押下されたときに複数のサブメニュー画面のいずれか１つが表示中であるか否かを判定し、判定結果が肯定的（表示中）である場合には表示中のサブメニュー画面の識別子をショートカットメニューとしてテーブルに登録し、判定結果が否定的（非表示中）である場合には、ショートカットメニューの選択画面を表示する技術が開示されている。
【先行技術文献】
【特許文献】
【０００５】
【特許文献１】特開２００６−１０１１７２号公報
【特許文献２】特開２００７−２４９４５１号公報
【発明の概要】
【発明が解決しようとする課題】
【０００６】
このショートカットキーに特定の画面を割り当てて、任意の画面が表示されている状態でこのショートカットキーを押下することで特定の画面に直ちに移行することができるのはユーザ操作性を向上させるものであるが、機器にショートカットキーを新たに設ける必要がある。最近では、機器の小型化、高機能化が一段と進み、限られたスペースに各種の操作キーを配置することが求められており、ショートカットキー等の特別なキーを設けることなく、ショートカット機能を実現できることが望まれている。さらに、仮にショートカットキー等のショートカット機能専用のキーを機器に設けたとしても、その機能をあまり使用しないユーザにとっては無用のキーとなってしまう。
【０００７】
本発明は、ショートカット機能専用のキーを設けることなく、ショートカット機能を簡易に実現できる装置及び機器を提供する。
【課題を解決するための手段】
【０００８】
本発明は、ホーム画面と、ホーム画面より下位階層の複数の非ホーム画面を表示する画面表示制御装置であって、前記非ホーム画面を表示している状態でホームキーが操作された場合に、前記ホーム画面を表示するとともに、前記非ホーム画面を特定するための識別子を記憶する手段と、前記ホーム画面を表示している状態で前記ホームキーが操作された場合に、記憶されている前記識別子で特定される非ホーム画面を表示する手段を備えることを特徴とする。
【０００９】
また、本発明は、階層構造の画面を順次、表示部に表示する画面表示制御装置であって、階層構造の下位にある下位画面を表示している状態でホームキーが操作された場合に、階層構造の上位にあるホーム画面を表示するホーム画面表示手段と、前記ホームキーが操作された時点の前記下位画面を特定するためのデータを前記ホームキーに関連づけて記憶する記憶手段と、前記ホーム画面を表示している状態で前記ホームキーが操作された場合に、前記記憶手段に記憶されている前記データに基づいて前記下位画面を表示することで、前記ホーム画面から前記下位画面にショートカットする制御手段を備えることを特徴とする。
【００１０】
また、本発明は、ホームキーと、表示部と、前記ホームキーの操作に応じ、前記表示部に画面を表示する上記の画面表示制御装置とを備える機器である。
【発明の効果】
【００１１】
本発明によれば、ホームキーをショートカット機能を有するキーとして兼用することができる。従って、ショートカット機能専用キーを新たに設ける必要がない。また、本発明では、ホームキーはホーム画面においてショートカット機能を実行することになるので、ホームキーの利用効率を上げることができる。
【図面の簡単な説明】
【００１２】
【図１】実施形態における機器の構成ブロック図である。
【図２】実施形態における機器の平面図である。
【図３】実施形態の画面遷移説明図である。
【図４】実施形態の画面遷移説明図である。
【図５】実施形態の処理フローチャートである。
【発明を実施するための形態】
【００１３】
以下、図面に基づき本発明の実施形態について、機器としてポータブルデジタルレコーダを例にとり説明する。
【００１４】
図１に、本実施形態におけるデジタルレコーダの構成ブロック図を示す。デジタルレコーダは、ＭＰ３フォーマットでエンコードされ圧縮されたオーディオデータを記憶するフラッシュメモリ１６を有する。フラッシュメモリ１６に記憶されたＭＰ３オーディオデータはメモリコントローラ１８で読み出されてデジタルデータ処理回路２２に供給される。ＭＰ３でエンコードされたオーディオデータを再生する装置はＭＰ３プレーヤとして公知である。
【００１５】
デジタルデータ処理回路２２は、ＲＯＭ１０、ＲＡＭ１２及びＣＰＵ１４を有する。ＣＰＵ１４は、エフェクト処理部５９、デジタルデータ合成部６３、ＭＰ３デコード部７０及びＭＰ３エンコード部７２を有する。ＭＰ３デコード部７０及びＭＰ３エンコード部７２は専用のハードウェア回路で構成してもよく、ソフトウェアで構成してもよい。また、エフェクト処理部５９やデジタルデータ合成部６３はミキシング処理時に必要であるが、単に音声データを録音する場合にはこれらの部材は必ずしも必要でない。
【００１６】
メモリコントローラ１８でフラッシュメモリ１６から読み出されたＭＰ３オーディオデータは、ＣＰＵ１４のＭＰ３デコード部７０に供給される。ＭＰ３デコード部７０は、ＭＰ３オーディオデータをデコードしてデジタルデータ合成部６３に供給する。ＭＰ３デコード部７０でのデコード処理は、ＲＯＭ１０に予め記憶されているシステムプログラムにサブルーチンとして含まれるＭＰ３デコードプログラムに従って実行される。デコードされたオーディオデータは、さらに操作部２３からの操作信号に応じ、デジタルデータ合成部６３に供給される。
【００１７】
また、デジタルレコーダの所定位置に設けられた指向性あるいは無指向性のマイクロフォンから入力された音声データは、ＡＤＣ２６でデジタルデータに変換された後、デジタルデータ処理回路２２に供給される。デジタルデータ処理回路２２のＣＰＵ１４は、操作部２３からの操作信号に応じ、エフェクト処理部５９でエフェクト処理を施してデジタルデータ合成部６３に供給する。デジタルデータ合成部６３は、デコードしたオーディオデータとエフェクト処理された音声データとを合成してＤＡＣ２７に供給し、ＤＡＣ２７でアナログ信号に変換して外部に出力する。これにより、ＭＰ３オーディオデータに、外部音声データが合成されて出力されることとなり、ユーザは例えば再生オーディオ信号に併せて楽器等を演奏し、ミキシングして再生することができる。デジタルデータ合成部６３からの合成データは、ＤＡＣ２７に出力するとともにＭＰ３エンコード部７２に供給してもよい。ミキシング処理を行わない場合、マイクロフォンから入力された音声データは、ＡＤＣ２６でデジタルデータに変換された後、ＭＰ３エンコード部７２に供給される。
【００１８】
ＭＰ３エンコード部７２は、音声データ、あるいはミキシングする場合の合成データをＭＰ３方式でエンコードし、エンコードしたデータをフラッシュメモリ１６に記憶する。ＭＰ３エンコード部７２でのエンコード処理は、ＭＰ３デコード部７０と同様にＲＯＭ１０に予め記憶されているシステムプログラムにサブルーチンとして含まれるＭＰ３エンコードプログラムに従って実行される。
【００１９】
なお、ＭＰ３フォーマットでの録音は一例であり、他のフォーマット、例えばｗａｖフォーマットで録音してもよい。また、ＭＰ３フォーマットとｗａｖフォーマットのいずれにも対応し、ユーザの操作部２３からの操作に従っていずれかのフォーマットで録音してもよい。また、指向性あるいは無指向性のマイクロフォンから入力された音声データを２チャンネルのステレオ録音としてもよい。
【００２０】
デジタルレコーダは、外部のコンピュータ（ＰＣ）とＵＳＢで接続可能であり、メモリコントローラ１８を介して外部のＰＣからフラッシュメモリ１６にアクセスすることができる。すなわち、ＰＣに接続すると、フラッシュメモリ１６はＵＳＢ大容量記憶容量デバイスとして認識され、ＰＣを用いてファイル転送やコピー、ファイル名の変更、削除等が可能である。
【００２１】
表示部２４には、デジタルレコーダの状態を示す各種画面が表示される。具体的には、最上位階層の画面であるホーム（Ｈｏｍｅ）画面や、下位階層の画面である各種メニュー画面である。各種メニュー画面には、デジタルデコーダの機能を設定するための機能メニュー画面がある。ユーザは、操作部２３を操作することで、デジタルデコーダの操作に必要な画面を表示部２４に表示させる。すなわち、ＣＰＵ１４は、操作部２３からの操作信号に応じ、ＲＯＭ１０に予め格納されているシステムプログラムに従って操作信号に対応する画面を表示部２４に表示する。
【００２２】
図２に、デジタルレコーダの外観図（平面図）を示す。デジタルレコーダの上部にはステレオ録音用の指向性マイクロフォン３０Ｒ、３０Ｌが左右に設けられる。一対のマイクロフォン３０Ｒ、３０Ｌは回転軸の回りに回転可能に軸支されており、図中矢印方向に回転可能である。すなわち、マイクロフォン３０Ｒは図の位置から反時計方向に略９０度まで回転可能であり、マイクロフォン３０Ｌは図の位置から時計方向に略９０度まで回転可能である。
【００２３】
操作部２３として、図示しない電源スイッチ（Ｐｏｗｅｒ）の他、巻き戻しキー２３ａ、早送りキー２３ｂ、ホーム（Ｈｏｍｅ）キー２３ｃ、録音（Ｒｅｃ）キー２３ｄ、再生（ｐｌａｙ）キー２３ｅ、停止（Ｓｔｏｐ）キー２３ｆ、機能キー２３ｇ、設定キー２３ｈ、プラス（＋）キー２３ｉ、マイナスキー（−）２３ｊが設けられる。
【００２４】
ホームキー２３ｃは、最上位階層のホーム（Ｈｏｍｅ）画面を表示部２４に表示させるためのキーである。デジタルレコーダの電源スイッチをＯＮにしてデジタルデコーダを機動すると、ＣＰＵ１４はまず表示部２４にホーム画面を表示する。そして、ホーム画面以外の任意の下位階層の画面を表示部２４に表示している状態で、ユーザがホームキー２３ｃを押下すると、ＣＰＵ１４は表示部２４に再びホーム画面を表示する。
【００２５】
機能キー２３ｇは、下位階層の機能メニュー画面を表示部２４に表示させるためのキーである。機能メニュー画面では、ユーザはデジタルレコーダの各種機能がリスト表示され、ユーザは任意の機能を選択する。機能メニューには、リピート機能、フォルダ／ファイル機能、再生スピード機能、ファイル分割機能、ファイル削除機能等がある。
【００２６】
設定キー２３ｈは、下位階層の設定メニュー画面を表示部２４に表示させるためのキーである。設定メニュー画面では、デジタルレコーダの録音モードやタイマーのＯＮ／ＯＦＦ設定、スピーカーのＯＮ／ＯＦＦ設定等がある。
【００２７】
このような構成において、ユーザが再生スピードを所望のスピードに調整する場合を想定する。この場合、ユーザはデジタルレコーダを起動してホーム画面を表示部２４に表示させた後、機能キー２３ｇを押下して機能メニュー画面を表示させる。そして、機能メニューから再生スピードを選択し、再生スピード画面において再生スピードのパラメータを調整する。再生スピードの調整が完了した後、ホームキー２３ｃを押下してホーム画面を表示部２４に表示させ、その後、再生キー２３ｅを押下して所望の曲を再生する。
【００２８】
一方、曲を再生した後、ユーザが再生スピードを再び調整したいと欲する場合、従来からの方法ではホーム画面から再び機能キー２３ｇを押下して機能メニュー画面を表示させた後、再生スピード画面を選択してパラメータを調整しなければならず、操作が煩雑となる。ショートカットキーを設けて再生スピード画面をショートカットキーに割り当てることも可能であるが、ショートカットキーを新たに設ける必要があり、サイズが限定されているポータブルデジタルレコーダに新たにキーを設けることは困難な場合がある。
【００２９】
そこで、本実施形態では、新たにショートカットキーを設けることなく、ホームキー２３ｃに着目し、このホームキー２３ｃをショートカットキーとして兼用させる。すなわち、ホームキー２３ｃは本来的にホーム画面以外の画面において押下された場合にはホーム画面に移行させる機能を有するが、ホーム画面において押下された場合において、予めこのホームキー２３ｃにショートカット画面として割り当てられた画面に移行させる機能を持たせる。
【００３０】
図３及び図４に、本実施形態における画面遷移を示す。まず、図３において、ユーザが電源スイッチをＯＮ（Ｐｏｗｅｒ  ＯＮ）にすると、正常に起動するのであれば、最上位階層のホーム画面（再生のホーム画面）１００が表示部２４に表示される。なお、この時点で開始される再生のホーム画面１００には、再生時間や残り時間、再生している曲名等が表示される。
【００３１】
ホーム画面１００が表示されている状態で、ユーザが設定キー２３ｈを押下すると、設定メニュー画面２００が表示部２４に表示される。設定メニュー画面２００には、録音設定、再生設定、タイマー設定、スピーカー設定、その他の設定項目が表示される。設定メニュー画面２００が表示されている状態で、ユーザが巻き戻しキー２３ａあるいは設定キー２３ｈあるいはホームキー２３ｃを押下すると、再びホーム画面１００に戻る。
【００３２】
また、ホーム画面１００が表示部２４に表示されている状態で、ユーザが機能キー２３ｇを押下すると、機能メニュー画面３００が表示部２４に表示される。機能メニュー画面３００には、リピート、フォルダ／ファイル、再生スピード、ファイル分割、ファイル削除の各機能が表示される。機能メニュー画面３００が表示されている状態で、ユーザが巻き戻しキー２３ａあるいは機能キー２３ｇあるいはホームキー２３ｃを押下すると、再びホーム画面に戻る。なお、設定メニュー画面２００が表示されている状態で機能キー２３ｇを押下しても機能メニュー画面３００が表示され、機能メニュー画面３００が表示されている状態で設定キー２３ｈを押下すると設定メニュー画面２００が表示される。
【００３３】
また、ホーム画面１００が表示部２４に表示されている状態で、ユーザが録音キー２３ｄを押下すると、録音のホーム画面４００が表示部２４に表示され、音声データの録音が開始される。録音のホーム画面４００には、録音時間や録音レベル、ファイル名等が表示される。録音のホーム画面４００が表示されている状態で、ユーザが停止キー２３ｆを押下すると、ホーム画面１００に戻る。
【００３４】
一方、デジタルレコーダにフラッシュメモリ１６のカードが装着されていない状態でユーザが電源スイッチを押下して起動した場合、表示部２４にエラー画面５００が表示される。この状態でユーザがフラッシュメモリ１６のカードを装着すると、正常起動としてホーム画面１００が表示部２４に表示される。エラー画面５００が表示されている状態で、ユーザが設定キー２３ｈを押下すると、設定メニュー２００が表示される。一方、ユーザが機能キー２３ｇを押下すると、「カードがありません。」とのメッセージを表示するエラー画面６００が表示される。
【００３５】
次に、図４を用いてホームキー２３ｃをショートカットキーとして兼用させる場合の画面遷移について説明する。
【００３６】
図４において、ホーム画面１００が表示されている状態において、ユーザが機能キー２３ｇを押下すると、既述したように機能メニュー画面３００が表示される。この状態で、
ユーザが、プラスキー２３ｉまたはマイナスキー２３ｊを押下して機能メニューの各項目を任意に選択し（例えば、カーソルを移動させて所望の項目に合わせる）、早送りキー２３ｂを押下すると、表示部２４には、各項目の設定画面３００−１〜３００−５のうち選択された項目の設定画面が表示される。ここでは、リピート画面３００−１、フォルダ／ファイル画面３００−２、再生スピード画面３００−３、ファイル分割画面３００−４、ファイル削除画面３００−５を示している。一例として、再生スピード画面３００−３では、現在の再生スピード、早く、遅く、オン／オフの各項目が表示される。
【００３７】
この画面が表示されている状態で、ユーザが巻き戻しキー２３ａを押下すると機能メニュー画面３００に戻り、ホームキー２３ｃを押下するとホーム画面１００に戻る。このとき、ＣＰＵ１４は、ホーム画面１００以外でホームキー２３ｃが押下されたことを検知し、ホームキー２３ｃが押下されたときの画面の識別子を記憶し、ショートカット画面として登録しておく。具体的には、ショートカット機能用のフラグに、再生スピード画面の識別子を設定しておく。
【００３８】
ホーム画面１００に戻った後、ユーザがこのホーム画面１００においてホームキー２３ｃを押下すると、ＣＰＵ１４は、ホーム画面１００においてホームキー２３ｃが押下されたことを検知し、ホームキー２３ｃをショートカットキーとして機能させるべく、ショートカット機能のフラグの値を参照する。そして、フラグの値を参照してショートカット画面の識別子を取得し、その識別子で特定される画面、この場合には再生スピード画面３００−３を表示部２４に表示する。したがって、ユーザは、ホーム画面１００において単にホームキ−２３ｃを押下するだけで、直ちに再生スピード画面３００−３に移行することができる。ホームキー２３は、本来的にホーム画面１００以外の画面において機能するキーであり、ホーム画面１００では使われないキーである。本実施形態では、この事実に着目し、ホーム画面１００においてホームキー２３ｃをショートカットキーとして機能させるものであり、従来において使用されていなかったホーム画面１００におけるホームキー２３ｃを有効なキーとして機能させたものといえる。ホームキー２３ｃは、ホーム画面１００以外では本来の機能（ホーム画面１００に復帰させる）を有し、ホーム画面１００では登録された画面に直ちに移行するショートカットキーとして機能させることで、キーを新たに追加することなくショートカット機能を実現できる。さらに、ホーム画面１００において使用されていなかったホームキー２３ｃを有効に活用することもできる。
【００３９】
なお、ショートカット機能のフラグは書き換え可能であり、画面の識別子がフラグに登録された後に別の画面においてホームキー２３ｃが押下された場合、最新の画面の識別子に書き換えられる。例えば、再生スピード画面３００−３においてホームキー２３ｃが押下されると、ショートカット機能のフラグに再生スピード画面３００−３の識別子が登録され、その後に、リピート画面３００−１においてホームキー２３ｃが押下されると、ショートカットキー機能のフラグにはリピート画面３００−１の識別子が新たに登録される。
【００４０】
このように、フラグの値が書き換え可能であることから、ユーザが種々の画面においてホームキー２３ｃを押下した場合、どの画面がショートカット画面として登録されているのか不明となることも想定される。このため、ショートカット機能のフラグに画面の識別子が登録された場合、その画面を特定するための何らかの目印あるいはマークをホーム画面１００に表示しておくことが好適である。例えば、図４において、ホーム画面１００には再生スピード画面３００−３を表す「Ｓ」のマーク１５０が表示される。ユーザは、ホーム画面１００を視認することで、現在、ホームキー２３ｃにはショートカット画面として再生スピード画面３００−３が登録されている事実を容易に認識することができる。この目印１５０は画面毎にユニークに設定されることは言うまでもない。リピート画面３００−１に対しては「Ｒ」、フォルダ／ファイル画面３００−２に対しては「Ｆ」等である。
また、ショートカット機能のフラグはＲＡＭ１２に格納してもよいが、ＲＯＭ１０に格納することもできる。ＲＯＭ１０に格納することで、デジタルレコーダの電源をＯＦＦとした後でもフラグの値が維持され、次に電源をＯＮした後でもショートカットが可能となる。
【００４１】
図５に、本実施形態の処理フローチャートを示す。まず、ユーザが電源スイッチをＯＮすると（Ｓ１０１）、ＣＰＵ１４は、プログラムに従って最上位階層のホーム画面１００を表示する（Ｓ１０２）。なお、フラッシュメモリ１６のカードが装着されていない場合には、既述したようにホーム画面１００に代わってエラー画面（カードが装着されていないことを示す画面）５００が表示される。
【００４２】
ホーム画面１００が表示されている状態で、ユーザが機能キー２３ｇを押下すると（Ｓ１０３でＹＥＳ）、ＣＰＵ１４は、下位階層の機能メニュー画面３００を表示する（Ｓ１０４）。そして、プラスキー２３ｉまたはマイナスキー２３ｊによる各機能項目の選択と、早送りキー２３ｂの押下に応じて、各機能項目の画面３００−１〜３００−５のいずれかを表示する（Ｓ１０５）。ユーザは、これらの画面を適宜選択し、機能を設定する。
【００４３】
次に、ＣＰＵ１４は、これらの画面３００−１〜３００−５において、ホームキー２３ｃが押下されたか否かを判定する（Ｓ１０６）。ユーザが例えば再生スピード画面３００−３においてホームキー２３ｃを押下すると、ＣＰＵ１４はこれに応じてショートカット機能のフラグＳｈｏｒｔｃｕｔに再生スピード画面３００−３の識別子を設定する（Ｓ１０７）。そして、ホーム画面１００を表示部２４に表示する（Ｓ１０８）。
【００４４】
次に、ＣＰＵ１４は、ホーム画面１００において、ホームキー２３ｃが押下されたか否かを判定する（Ｓ１０９）。ユーザがホームキー２３ｃを押下すると、ＣＰＵ１４はこれに応じてフラグＳｈｏｒｔｃｕｔの値を参照し、このフラグに設定されている識別子で特定される画面（この場合には再生スピード画面３００−３）を表示する（Ｓ１１０）。なお、フラグＳｈｏｒｔｃｕｔにはデフォルトでホーム画面１００の識別子が設定されているから、起動直後のホーム画面１００（Ｓ１０２）においてホームキー２３ｃが押下された場合にはホーム画面１００が引き続き表示され続ける。
【００４５】
なお、ホーム画面１００においてホームキー２３ｃを押下して直ちに再生スピード画面３００−３に移行した後、ユーザが他の画面、例えばリピート画面３００−１に移行し、このリピート画面３００−１においてホームキー２３ｃを押下すると、ＣＰＵ１４はこれに応じてフラグＳｈｏｒｔｃｕｔに新たにリピート画面３００−１の識別子を設定する。すなわち、フラグＳｈｏｒｔｃｕｔの値は上書きされる。したがって、ホーム画面１００に移行した後、ユーザが再びこのホーム画面１００においてホームキー２３ｃを押下すると、再生スピード画面３００−３ではなくリピート画面３００−１に移行する。
【００４６】
このように、本実施形態では、ホームキー２３ｃが押下された場合に、これをトリガとしてホームキー２３ｃが押下された時点における画面をショートカット画面として自動的に登録するので、ショートカット画面を登録するための別個のキーが不要となる。また、ホーム画面１００においてホームキー２３ｃを押下することで、既に登録されている画面に直ちに移行するので、ショートカットするための別個のキーも不要となる。さらに、ホーム画面１００においては本来的に使用されないホームキー２３ｃをショートカットキーとして機能させることで、ホームキー２３ｃの有効活用を図ることもできる。本実施形態では、ホームキー２３ｃは、
（１）ホーム画面１００に復帰させる機能
（２）ショートカット画面を登録する機能
（３）ショートカットを実行する機能
の３つの機能を有する点に留意されたい。
【００４７】
以上、本発明の実施形態について説明したが、本発明はこれに限定されるものではなく、種々の変更が可能である。例えば、本実施形態では機器としてデジタルレコーダを例示したが、デジタルレコーダに限らず、オーディオ装置、情報機器、端末機器、通信機器等にも適用できる。また、本実施形態では、ホームキー２３ｃは押下操作可能なキーとしているが、その形式は任意であり、タッチスイッチ等でもよい。
【００４８】
また、本実施形態では、フラグＳｈｏｒｔｃｕｔの値を書き換え可能（上書き可能）としているが、複数の識別子を設定可能とすることもできる。例えば、前回の識別子と今回の識別子の２つの識別子を設定可能とする。この場合、ホーム画面１００において１回だけホームキー２３ｃを押下した場合には直前に登録した画面に移行し、２回連続してホームキー２３ｃを押下（ダブルクリック）した場合にはさらにその前に登録した画面に移行する等も可能であろう。
【００４９】
さらに、本実施形態では、フラグＳｈｏｒｔｃｕｔに識別子を設定しているが、識別子は画面を特定するための情報の一例であり、階層構造においてホーム画面１００の下位にある画面を一意に（ユニークに）特定するための任意のデータをフラグに設定することができる。また、フラグは必ずしも必須ではなく、要するに、ホームキー２３ｃに関連づけて階層構造においてホーム画面１００の下位にある画面を一意に（ユニークに）特定するためのデータをＲＯＭ１０あるいはＲＡＭ１２に記憶すればよい。
【符号の説明】
【００５０】
２２  デジタルデータ処理回路。
【図１】
2011108043.tif 000003
【図２】
2011108043.tif 000004
【図３】
2011108043.tif 000005
【図４】
2011108043.tif 000006
【図５】
2011108043.tif 000007